(57)【要約】【課題】レーザビームの照射範囲に人が進入して来たときに、直ちに、そのレーザビームの照射を遮断する赤外線映像伝送システムを提供する。【解決手段】送信回路２７を経て信号送信用のレーザビーム３２を発射する発光素子２８と位置決め用の赤外線ビーム３５を受信する受光素子３４とを有するコントローラと、信号送信用のレーザビーム３２を受信する受光素子５１と位置決め用の赤外線ビーム３５を発射する発光素子５２とを有する受信器１０とを備えている。位置決め用の赤外線ビーム３５が遮られときに、信号送信用のレーザビーム３２の出力を遮断する送信遮断手段を設けた。【選択図】        図２
2004320271.tif 000002
【特許請求の範囲】
【請求項１】
送信回路を経て信号送信用のレーザビームを発射する発光素子と位置決め用の赤外線ビームを受信する受光素子とを有するコントローラと、
前記信号送信用のレーザビームを受信する受光素子と前記位置決め用の赤外線ビームを発射する発光素子とを有する受信器とを備え、
前記コントローラに、前記位置決め用の赤外線ビームが遮られたとき前記信号送信用のレーザビームの出力を遮断する送信遮断手段を設けたことを特徴とする赤外線映像伝送システム。
【請求項２】
請求項１に記載の赤外線映像伝送システムにおいて、
前記送信遮断手段は、前記位置決め用の赤外線ビームを受ける受光素子に、この受光素子の受光レベルを検出して比較をするレベル検出回路を接続し、前記レベル検出回路の出力側に、前記レベル検出回路が検出した前記受光素子の検出信号が一定レベル以下になったとき前記送信回路に対し、動作停止信号を出力する機能を持つ監視回路を接続してなる構成であることを特徴とする赤外線映像伝送システム。
【請求項３】
請求項１又は２に記載の赤外線映像伝送システムにおいて、
前記位置決め用の赤外線ビームを受信するコントローラの受光素子を、複数個設けたことを特徴とする赤外線映像伝送システム。
【発明の詳細な説明】
【０００１】
【発明の属する技術分野】
本発明は、コントローラからレーザビームを用いて映像信号等をディスプレイに送信する赤外線映像伝送システムに関する。
【０００２】
【従来の技術】
レーザビームを用いて映像信号等を送信することにより、その間の送信手段をコードレス化することは従来からよく知られている（特許文献１）。
赤外線レーザビームの信号は、光密度が高く人の目に対して危険性が高くなる可能性が強い。
【０００３】
【特許文献１】
特開平１１−１１３０７４号公報
【０００４】
【発明が解決しようとする課題】
ところで、上記のような従来の技術には、次のような解決すべき課題があった。
レーザビームを用いて数メートル先に映像信号等を送信する場合には、このレーザビームを横切った程度では安全性は保たれているが、それでも肉眼に直接に照射されることのないような高い安全性を保ちたい。
本発明は以上の点に着目してなされたもので、レーザビームの照射範囲に人が進入して来たときに、直ちに、そのレーザビームの照射を遮断する赤外線映像伝送システムを提供することを目的とする。
【０００５】
【課題を解決するための手段】
本発明は次の構成により上記の課題を解決する。
〈構成１〉
送信回路を経て信号送信用のレーザビームを発射する発光素子と位置決め用の赤外線ビームを受信する受光素子とを有するコントローラと、上記信号送信用のレーザビームを受信する受光素子と上記位置決め用の赤外線ビームを発射する発光素子とを有する受信器とを備え、上記コントローラに、上記位置決め用の赤外線ビームが遮られとき上記信号送信用のレーザビームの出力を遮断する送信遮断手段を設けたことを特徴とする赤外線映像伝送システム。
【０００６】
コントローラには、例えば、ＰＤＰ（プラズマディスプレイパネル）にテレビジョンや映画等の画像を映し出すために、テレビ受信器、ビデオテープレコーダ、ＤＶＤ（Ｄｉｇｉｔａｌ  Ｖｅｒｓａｔｉｌｅ  Ｄｉｓｋ）等のＡＶ機器が接続されている。受信器は、例えば、プラズマディスプレイに一体に組み込まれており、位置決め用の赤外線ビームを発射する受光素子、受信回路、映像信号処理回路、音声信号処理回路等が設けられている。コントローラ側から受信器側に信号送信用のレーザビームを発射することにより、その間のコードレス化を図っている。また受信器側からコントローラ側に位置決め用の赤外線ビームを発射することにより、信号送信用のレーザビームが常時正確に照射されるようにしている。
こうした仕組みが設けられていることから、受信器側からコントローラ側に向かって送信された赤外線ビームがコントローラ側に達したときのトータル強度が一定値以下に変化した場合には、その赤外線ビームの範囲に人が入ったと判断できる。これを検出して、受信器に向けて照射している信号送信用のレーザビームを遮断する。これによって、信号送信用のレーザビームの部分に人が達する前に速やかにレーザビームの送信を停止し、安全を確保する。こうした構成をとることによってプラズマディスプレイに対して信号送信用のレーザビームを用いた安全な信号伝送が可能になる。なお、人の横断の検知に利用できる位置決め用の赤外線ビームは、５メートルで半径５０センチぐらいに広がる弱い赤外線である。一方、信号送信用のレーザビームは、１０メートルで直径１０センチ程度にしか広がらない強いビームである。
【０００７】
〈構成２〉
構成１に記載の赤外線映像伝送システムにおいて、上記送信遮断手段は、上記位置決め用の赤外線ビームを受ける受光素子に、この受光素子の受光レベルを検出して比較をするレベル検出回路を接続し、上記レベル検出回路の出力側に、上記レベル検出回路が検出した上記受光素子の検出信号が一定レベル以下になったとき上記送信回路に対し、動作停止信号を出力する機能を持つ監視回路を接続してなる構成であることを特徴とする赤外線映像伝送システム。
【０００８】
送信遮断手段が動作することにより、受信器に向けて照射しているレーザビームの照射を瞬時に遮断する。レベル検出回路の出力側には、監視回路の他に、コントローラの向きが正しく受信器を向いているかどうかを表示するインジケータを設けている。
【０００９】
〈構成３〉
構成１又は２に記載の赤外線映像伝送システムにおいて、上記位置決め用の赤外線ビームを受信するコントローラの受光素子を、複数個設けたことを特徴とする赤外線映像伝送システム。
【００１０】
これらの受光素子の受信信号の強度を比較すると、どのあたりがビームの中心かを素早くかつ正確に認識することができる。そのビームの中心に向かってレーザビームを送信すれば、ちょうど受信器の受光素子に最適条件でレーザビームが照射される。
【００１１】
【発明の実施の形態】
以下、本発明の実施の形態を具体例を用いて説明する。
図１は、赤外線映像伝送システムの具体例を示す概略図である。
図１において、コントローラ２０には、ＰＤＰ等のディスプレイ５０に、テレビジョンや映画等の画像を映し出すために、テレビ受信器４１やビデオテープレコーダ４２やＤＶＤ４３等が接続されている。コントローラ２０は、図示しないスタンドの上に固定され、電源端子２９を電源コンセントに接続して使用される。ディスプレイ５０には受信器１０が一体に組み込まれている。受信器１０は、コントローラ２０の方向に向くように受光素子５１と発光素子５２とを備えている。コントローラ２０と受信器１０の具体的な構成を以下に説明してから、この装置の動作を説明する。
【００１２】
図２（ａ）は受信器１０の構成を示すブロック図、図２（ｂ）はコントローラ２０の構成を示すブロック図である。
図２（ａ）において、受信器１０には、受光素子５１、受信回路１２、映像信号処理回路１４、音声信号処理回路１５、発光素子５２等が設けられている。映像信号処理回路１４にはディスプレイ５０が接続されている。音声信号処理回路１５にはスピーカ１７が接続されている。
【００１３】
図２（ｂ）において、コントローラ２０は、セレクタ２５、送信回路２７、発光素子２８を備えている。セレクタ２５には、テレビ受信器４１、ビデオテープレコーダ４２、ＤＶＤ４３等の映像信号、音声信号を出力する各種のＡＶ機器が接続されている。セレクタ２５によって、これらのＡＶ機器の出力信号のいずれかを選択し、送信回路２７に入力する。送信回路２７は、例えば、アナログ形式の映像信号で発光素子２８をそのまま駆動する。発光素子２８は、赤外線レーザダイオード等からなり、信号送信用のレーザビーム３２を発射するものである。この信号送信用のレーザビーム３２は受信器１０の受光素子５１に照射される。
【００１４】
受光素子５１は、赤外線信号を電気信号に変換し、受信回路１２に送り込む。受信回路１２は、受信信号のレベルを調整し、映像信号処理回路１４に送り込む。映像信号処理回路１４は、テレビジョン受像器のディスプレイを駆動する回路と全く同様の構成をしている。これによって、ディスプレイ５０に例えば、コントローラ２０側でビデオテープレコーダ４２により再生された画像が映し出される。
【００１５】
なお、上記のような映像信号の赤外線による送信方式は、様々な方式が知られており、例えば、ＦＭ変調をして送信をする方式や完全にデジタル化をして送信する方式等様々なものがある。いずれの方式を採用しても構わない。受信器１０の音声信号処理回路１５も既存のテレビジョン受像器等に設けられたものと同様の回路で、図１には図示しないスピーカ１７を駆動する。
【００１６】
この他に、受信器１０には、位置決め用の赤外線ビーム３５を発射する発光素子５２が設けられている。コントローラ２０の発光素子２８から出力される信号送信用のレーザビーム３２は、データ伝送密度が高いため、非常に細いビームになっている。具体的には受信器１０の受光素子５１に、直径１０センチ以下のビームを投射するような調整が必要になる。図１に示したコントローラ２０とディスプレイ５０との距離は数メートルであるから、非常に細い絞り込んだレーザビームを当てることになる。
【００１７】
この信号送信用のレーザビーム３２の向きを正確に調整するために、ディスプレイ５０の受信器１０から発光素子５２を用いて位置決め用の赤外線ビーム３５をコントローラ２０に設けられた受光素子３４に向けて発射する。この位置決め用の赤外線ビーム３５は、やや広がりのあるビームである。コントローラ２０には、その位置決め用の赤外線ビーム３５を受ける受光素子３４が複数設けられている。この受光素子３４は、２〜４個程度設けるとよい。レベル検出回路４６は、各受光素子３４の受光レベルを検出し、比較をする。その結果をインジケータ４７に表示する。インジケータ４７は、コントローラ２０の向きが正しく受信器１０を向いているかどうかを表示するためのものである。これを見ながら後で説明する要領でコントローラ２０の方向を調整する。
【００１８】
一方、レベル検出回路４６の出力側には、インジケータ４７の他に監視回路４８が設けられている。監視回路４８は、レベル検出回路４６が検出した受光素子３４の検出信号が一定レベル以下になった場合に、送信回路２７に対し、動作停止信号４９を出力する機能を持つ。これによって、位置決め用の赤外線ビーム３５を人が横断等して遮った場合に、コントローラ２０の発光素子２８が出力する信号送信用のレーザビーム３２の出力を直ちに遮断する。こうして、安全を確保する。
【００１９】
図３は、コントローラ２０の位置決め操作を説明するための説明図で、ディスプレイ５０とコントローラ２０とを側面から見たものである。
コントローラ２０の発光素子２８からは、既に説明した通り信号送信用のレーザビーム３２がディスプレイ５０に向けて送出される。受光素子５１にこのレーザビーム３２が正確に照射されるようにコントローラ２０の位置決めを行う。
【００２０】
コントローラ２０は、図３に示すようにスタンド７５の上に雲台７０を介して固定されている。雲台７０の操作ハンドル７１を操作すると、コントローラ２０の向きを正確に微調整できる。ディスプレイ５０の発光素子５２は、やや幅の広い赤外線ビーム３５をコントローラ２０に向けて照射している。コントローラ２０の受光素子３４Ａ、３４Ｂは、この赤外線ビーム３５を受光し、受光レベルに応じた出力信号を図２（ｂ）に示したレベル検出回路４６に入力する。
【００２１】
図４は、この受光素子３４Ａ、３４Ｂの動作を説明する説明図である。
受光素子３４Ａ、３４Ｂを図４に示すように水平に例えば、５センチ程度離した状態で配置する。この状態で図４に示すように位置決め用の赤外線ビーム３５が発光素子５２から照射される。その光強度分布を図４の上側にグラフで示した。図４に示すように中心部３６が最も光強度が強く、その両側に向かって山状の強度分布となっている。受光素子３４Ａ、３４Ｂが受光する受光強度は両者の中心にピーク３６が達した時にほぼ等しくなる。
【００２２】
もし、このピークが受光素子３４Ｂ側に偏っていれば、受光素子３４Ｂの出力のレベルが高く、受光素子３４Ａの出力レベルが低い。従って、この状態を図２に示したレベル検出回路４６が検出し、例えば、コントローラ２０の雲台７０を右方向に回転させるといったメッセージ等を表示する。両受光素子３４Ａ、３４Ｂの受光強度が等しくなるまで、すなわち、図４に示した状態になるまで、雲台７０を適宜回転することによって、コントローラ２０の正確な位置決めを行うことが可能である。
【００２３】
なお、上記の各操作を行わせるコンピュータプログラムは、それぞれ独立したプログラムモジュールを組み合わせて構成してもよいし、全体を一体化したプログラムにより構成してもよい。コンピュータプログラムにより制御される処理の全部または一部を同等の機能を備えるハードウエアで構成しても構わない。また、上記のコンピュータプログラムは、既存のアプリケーションプログラムに組み込んで使用してもよい。
【００２４】
上記のような本発明を実現するためのコンピュータプログラムは、例えばＣＤ−ＲＯＭのようなコンピュータで読み取り可能な記録媒体に記録して、任意の情報処理装置にインストールして利用することができる。また、ネットワークを通じて任意のコンピュータのメモリ中にダウンロードして利用することもできる。本発明は、ＰＤＰの他に、液晶ディスプレイ（ＬＣＤ）、その他のディスプレイに映像信号を送信する場合に適用することができる。
【００２５】
なお、赤外線ビームを遮断するように人が進入した時に直ちにレーザビームの発光を止めるという方式を利用すると、非常に光の強度の強い液晶プロジェクタ等についても同様の仕組みが採用できる。このときは、液晶プロジェクタをディスプレイに向けておき、ディスプレイに映像を映している時、ディスプレイと液晶プロジェクタとの間に人が入ったものを検出する。液晶プロジェクタの上、あるいは、直ぐそばに送信機と受信機を備えた装置を配置する。そしてディスプレイに向けて赤外線を照射し、その反射光を受信できるようにしておく。赤外線であるから、通常ディスプレイに映し出される光とは異なる波長であって、独立に送受信できる。この赤外線を遮る人を検出すると、プロジェクタの電源を落としたり、あるいは光を低下させる等の動作を行わせるようにすればよい。
【図面の簡単な説明】
【図１】赤外線映像伝送システムの具体例を示す概略図である。
【図２】赤外線映像伝送システムの受信器とコントローラを示すもので、（ａ）は受信器の構成を示すブロック図、（ｂ）はコントローラの構成を示すブロック図である。
【図３】コントローラの位置決め操作を説明するための説明図である。
【図４】コントローラの位置決め操作をする受光素子の動作を説明する説明図である。
【符号の説明】
１０  受信器
１２  受信回路
１４  映像信号処理回路
１５  音声信号処理回路
２０  コントローラ
２５  セレクタ
２７  送信回路
２８、５２  発光素子
３４、５１  受光素子
３２  信号送信用のレーザビーム
３５  位置決め用の赤外線ビーム
４６  レベル検出回路
４８  監視回路
４９  動作停止信号
５０  ディスプレイ
【図１】
2004320271.tif 000003
【図２】
2004320271.tif 000004
【図３】
2004320271.tif 000005
【図４】
2004320271.tif 000006